(57)【特許請求の範囲】
【請求項１】
流入ポート及び流出ポートを連通する内部に、前記流入ポートの圧力とソレノイドの電磁吸引力とにより動作するプランジャが摺動自在に内嵌されるとともに、該プランジャの摺動方向の一端側に、前記流入ポートを開閉する弁部が設けられた電磁弁において、
前記プランジャが、摺動方向の他端側に開口する中空形状を有するとともに、深絞り加工を施すプレス成形により前記弁部と共に一体形成されたことを特徴とする電磁弁。
【請求項２】
前記プランジャの側面に、摺動方向に貫通する油溝が複数設けられるとともに、前記弁部を囲む前記プランジャの端面に、その摺動方向に貫通する孔が設けられたことを特徴とする請求項１記載の電磁弁。
【発明の詳細な説明】
【０００１】
【発明の属する技術分野】
本発明は、例えば自動変速装置の油圧回路に用いられる電磁弁に関する。
【０００２】
【従来の技術】
従来、この種の電磁弁としては、例えば図６に示したものが知られている。
【０００３】
この電磁弁５１は本体５２と、本体５２に収容されたソレノイド５３、ソレノイド５３に内嵌された円筒状のガイド部材５４、ガイド部材５４が形成する内嵌室５５に開弁方向及び閉弁方向へ摺動自在に内嵌されたプランジャ５６とを有している。前記本体５２は、ソレノイド５３を包囲した円筒状のカバー部５７と、その下方に延出するノズル部５８とにより一体形成されており、ノズル部５８には流入ポート５９が設けられている。カバー部５７の上端側には、ヨーク６０及びプレート６１がカシメ固定されており、外側に位置するプレート６１の中央部には流出ポート６２が設けられている。また、カバー部５７とノズル部５８の連結部分には弁座６３が設けられている。一方、前記プランジャ５６は、本体５２、ソレノイド５３、ヨーク６０と共に磁気回路を構成しており、磁性材料を焼結させることにって形成されている。図７、図８に示すようにプランジャ５６は中実状であって、その一端には弁座６３に当接・離間し流入ポート５９を開閉する弁部６４が設けられており、また、その側面には軸方向に貫通する油溝６５が複数設けられている。
【０００４】
そして、電磁弁５１は、ソレノイド５３が励磁されていないときには、流入ポート５９側の油圧によりプランジャ５６が弁座６３から離間することにより、内部に流入した油を油溝６５を介して流出ポート６２から外部へ流出させる。また、ソレノイド５３が励磁されると、プランジャ５６が弁座６３側へ動作して流入ポート５９を閉鎖し、流出ポート６２から外部への油の流出を阻止する。すなわちノーマルオープン型の電磁弁として動作することにより、流入ポート５２側における油圧回路内の圧力を制御する。
【０００５】
【発明が解決しようとする課題】
しかしながら、かかる従来の電磁弁５１において、制御特性を改善するため、動作時におけるプランジャ５６の応答性を向上させようとすると、ソレノイド５３を大型化させたり、ソレノイド５３への供給電力を増加させなければならないが、その場合には外形寸法、消費電力が共に増大することとなる。このため、前述した電磁弁５１のように、自動車のように設置スペースや消費電力を抑えことが要求されるものにおいては応答性を向上させることが難しかった。
【０００６】
本発明は、かかる従来の課題に鑑みてなされたものであり、設置スペースや消費電力を抑えつつ、応答性の向上が可能な電磁弁を提供することを目的とする。
【０００７】
【課題を解決するための手段】
前記課題を解決するために本発明の請求項１の発明にあっては、流入ポート及び流出ポートを連通する内部に、前記流入ポートの圧力とソレノイドの電磁吸引力とにより動作するプランジャが摺動自在に内嵌されるとともに、該プランジャの摺動方向の一端側に、前記流入ポートを開閉する弁部が設けられた電磁弁において、前記プランジャが、摺動方向の他端側に開口し、かつ摺動方向に貫通する油溝を側面に複数設けられた中空形状を有するとともに、深絞り加工を施すプレス成形により前記弁部と共に一体形成されたものとした。
【０００８】
かかる構成において、プランジャは中空形状であるため、中実形状である場合に比べ軽いことから、ソレノイドが励磁されたときや、その励磁が停止された直後における動作スピードが従来よりも速くなる。
【０００９】
また、請求項２の発明にあっては、前記プランジャの側面に、摺動方向に貫通する油溝が複数設けられるとともに、前記弁部を囲む前記プランジャの端面に、その摺動方向に貫通する孔が設けられたものとした。かかる構成においては、プランジャの流入ポート側における端面の受圧面積が減少し、しかもプランジャが動作するときには、流入ポートから流出ポートへの流体の通流が前記孔を介して許容されるため、内部においてプランジャが摺動する際に働く抵抗が減少する。このため、プランジャの動作スピードが、より速くなる。
【００１０】
【発明の実施の形態】
以下、本発明の一実施の形態を図にしたがって説明する。図１は、本実施の形態にかかる電磁弁１を示す図であって、この電磁弁１は従来技術で既説したものと同様に、自動車における自動変速装置の油圧回路に用いるものである。
【００１１】
すなわち、この電磁弁１は、ソレノイド２が巻回されたボビン部３と、流入ポート４を形成するノズル部５とが一体形成された合成樹脂製の本体６を有している。ボビン部３とノズル部５との連結部には磁気受け渡し用の金属板７がインサートされている。金属板７の中央部には流入口８が開口しており、金属板７によって弁座が形成されている。ソレノイド２及びノズル部５の一部はカバー９によって覆われている。このカバー９によって、ボビン部３の位置する電磁弁１の上部にはヨーク１１及びプレート１２がカシメ固定されており、プレート１２の中央部には流出ポート１３が設けられている。一方、ボビン部３には円筒状のガイド部材１４が内嵌されており、その内部にはプランジャ２０が摺動自在に内嵌されている。プランジャ２０は、金属板に深絞り加工を施すプレス成形により製造されている。プランジャ２０は、図２〜図４に示すように、金属板７に当接・離間し流入ポート４を開閉する弁部２１を一端側に有するとともに、他端側に開口する中空形状であって、その側面には摺動方向に貫通する油溝２２が複数形成されている。
【００１２】
以上の構成にかかる本実施の形態において、使用に際してソレノイド２が励磁されていないとき、プランジャ２０は流入ポート４側の油圧により他端側へ移動することにより、流入口８つまり流入ポート４を開放する。これにより、流入ポート４から内部に流入した油は、ガイド部材１４内でプランジャ２０の側面に設けられた油溝２２・・・を通流したのち流出ポート１３から外部へ排出される。一方、ソレノイド２が励磁されると、プランジャ２０は弁座を形成している金属板７側へ吸引され、流入口８つまり流入ポート４を閉鎖することにより、流入ポート４から流出ポート１３への油の通流を阻止する。そして、かかるプランジャ２０の動作により流入ポート４側における油圧回路内の圧力を制御する。
【００１３】
ここで、本実施の形態におけるプランジャ２０は中空形状であり、従来技術で説明して中実形状のものに比べ軽いことから、ソレノイド２が励磁されたときや、その励磁が停止された直後におけるプランジャ２０の動作スピードは従来よりも速くなる。よって、ソレノイド２を大型化させたり、ソレノイド２への供給電力を増加させることなく、プランジャ２０の応答性を向上させることができ、設置スペースや消費電力を抑えつつ、制御特性を改善することができる。
【００１４】
また、プランジャ２０は、摺動方向の一端側に開口する中空形状であり、前述したように、プレス成形により製造されている。よって、プランジャ２０の製造方法に自由度を持たせることができ、またプレス成形により製造することによりプランジャ２０すなわち電磁弁１のコストダウンを図ることができる。
【００１５】
一方、前述したプランジャ２０は、例えば図５に示すように、弁部２１を囲むプランジャ２０の端面２０ａに、その摺動方向に貫通する孔２３が複数設けられた構成とすることもできる。かかる構成においては、プランジャ２０の流入ポート４側における端面２０ａの受圧面積が減少し、しかもプランジャ２０が動作するときには、流入ポート４から流出ポート１５への油の通流が孔２３・・・を介して許容されることから、電磁弁１の内部でプランジャ２０が摺動する際に働く抵抗が減少する。よって、プランジャ２０の動作スピードが、より速くなることから、使用時におけるプランジャ２０の応答性を、より一層向上させることが可能となる。
【００１６】
【発明の効果】
以上説明したように請求項１の発明においては、プランジャを中空形状とすることにより、ソレノイドが励磁された直後、及び励磁が停止された直後における動作スピードが従来よりも速くなるようにした。よって、ソレノイドを大型化させたり、ソレノイドへの供給電力を増加させることなく、プランジャの応答性を向上させることができ、設置スペースや消費電力を抑えつつ、制御特性を改善することが可能となる。
【００１７】
また、プランジャをプレス成形によって製造することにより、プランジャの製造方法に自由度を持たせることができる。しかも、プランジャすなわち電磁弁のコストダウンを図ることができる。
【００１８】
また、請求項２の発明においては、弁部を囲むプランジャの端面に、その摺動方向に貫通する孔を設けることにより、プランジャが摺動する際に働く抵抗を減少させ、これによりプランジャの動作スピードが、より速くなるようにした。よって、プランジャの応答性を、より一層向上させることが可能となる。
【００１９】
【図面の簡単な説明】
【図１】本発明の一実施の形態を示す断面図である。
【図２】プランジャの平面図である。
【図３】図２のＡ−Ａ線に沿う断面を表す斜視図である。
【図４】プランジャの底面図である。
【図５】本発明の他の実施の形態を示す図３に対応する斜視図である。
【図６】従来技術を示す断面図である。
【図７】図６のプランジャの平面図である。
【図８】図７のＢ−Ｂ線に沿う断面を表す斜視図である。
【符号の説明】
１    電磁弁
２    ソレノイド
３    ボビン部
４    流入ポート
５    ノズル部
６    本体
１３    流出ポート
２０    プランジャ
２０ａ  端面
２１    弁部
２２    油溝
２３    孔
【図１】
0004011147.tif 000002
【図２】
0004011147.tif 000003
【図３】
0004011147.tif 000004
【図４】
0004011147.tif 000005
【図５】
0004011147.tif 000006
【図６】
0004011147.tif 000007
【図７】
0004011147.tif 000008
【図８】
0004011147.tif 000009